(57)【要約】      （修正有）【課題】振動体を体の一部で挟持するように押さえ、振動を抑えるように力を入れるフィットネスを容易に行うことができる身体鍛錬具を提供する。【解決手段】断面円形かつ前後方向に延びる異形球状のケーシング２と、ケーシング２内に設けられた振動源と、ケーシング２の前後方向中間部の両側に設けられ振動源による振動を抑えるべく人体の所定の部位で押さえるための凹部４とを備えたものである。またケーシング２の前後方向中間部の外周に設けられ、クッション機能を有すると共に滑り止め機能を有する被覆材５を備えるとよい。【選択図】図１
0003147513.tif 000002
【実用新案登録請求の範囲】
【請求項１】
断面円形かつ前後方向に延びる異形球状のケーシングと、該ケーシング内に設けられた振動源と、上記ケーシングの前後方向中間部の両側に設けられ上記振動源による振動を抑えるべく人体の所定の部位で押さえるための凹部とを備えたことを特徴とする身体鍛錬具。
【請求項２】
上記ケーシングの前後方向中間部の外周に設けられ、クッション機能を有すると共に滑り止め機能を有する被覆材を備えた請求項１記載の身体鍛錬具。
【請求項３】
上記振動源は電動モータを有し、該電動モータに電気を供給する電源コードが上記ケーシングの前端部又は後端部から外方に延びる請求項１又は２記載の身体鍛錬具。
【請求項４】
上記ケーシングの前端部又は後端部にケーシングを吊り下げるためのストラップを設けた請求項１〜３のいずれかに記載の身体鍛錬具。
【考案の詳細な説明】
【技術分野】
【０００１】
本考案は、振動体を有し、振動体の振動を利用して身体を鍛錬する身体鍛錬具に関する。
【背景技術】
【０００２】
振動を利用して身体を鍛錬する身体鍛錬具としては、特許文献１記載の「腹部健康器具」が知られている。図１２に示すように、腹部健康器具４０は、振動体４１と、振動体４１に接続されたベルト４２とを備える。腹部健康器具４０は、振動体４１を椅子３２の背もたれ３５の背面側に設置し、椅子３２上の使用者の腹部や腰部にベルト４２を掛け回し、振動体４１を振動させることにより、振動体４１の振動をベルト４２を介して使用者に伝達し、使用者の腹部或いは腰部のフィットネスを行うようになっている。
【０００３】
【特許文献１】実用新案登録第３１０７３２５号公報
【考案の開示】
【考案が解決しようとする課題】
【０００４】
ところで、上述の腹部健康器具４０によれば、座っているだけで容易にエクササイズができるものの、使用者自らが筋肉を動かす身体鍛錬具ほど高いフィットネス効果を期待できないという問題があった。
【０００５】
そこで、本願考案者は、振動を利用した身体鍛錬具で高いフィットネス効果を得るエクササイズ方法について鋭意研究を重ねた。その結果、本願考案者は、両手、両脚等の体の一部で振動体を挟持するように押さえ、振動を抑えるような意識で力を入れることで高いフィットネス効果が得られることを見出した。このエクササイズ方法によれば、筋肉を振動に追従するように伸縮運動させることができ、５分程度の短時間で効率よく筋肉を鍛えることができる。
【０００６】
しかしながら、従来の振動体４１は、ベルト４２等を介して人体に振動を伝えるものであって体の一部で押さえるようには出来ていないため、上述のエクササイズ方法で用いようとすると持ちにくく、振動によって振動体４１が落下しやすく、身体鍛錬が容易にできないという課題があった。
【０００７】
そこで、本考案の目的は、上記課題を解決し、振動体を体の一部で挟持するように押さえ、振動を抑えるように力を入れるエクササイズを容易に行うことができる身体鍛錬具を提供することにある。
【課題を解決するための手段】
【０００８】
上記課題を解決するために本考案は、断面円形かつ前後方向に延びる異形球状のケーシングと、該ケーシング内に設けられた振動源と、上記ケーシングの前後方向中間部の両側に設けられ上記振動源による振動を抑えるべく人体の所定の部位で押さえるための凹部とを備えたものである。
【０００９】
上記ケーシングの前後方向中間部の外周に設けられ、クッション機能を有すると共に滑り止め機能を有する被覆材を備えるとよい。
【００１０】
上記振動源は電動モータを有し、該電動モータに電気を供給する電源コードが上記ケーシングの前端部又は後端部から外方に延びるとよい。
【００１１】
上記ケーシングの前端部又は後端部にケーシングを吊り下げるためのストラップを設けるとよい。
【考案の効果】
【００１２】
本考案によれば、振動体を体の一部で挟持するように押さえ、振動を抑えるように力を入れるエクササイズを容易に行うことができる。
【考案を実施するための最良の形態】
【００１３】
本考案の好適実施の形態を添付図面を用いて説明する。
【００１４】
図１は本考案の好適実施の形態を示す斜視図であり、身体鍛錬具の正面、左側面及び平面を示す。図５は身体鍛錬具の側断面図であり、身体鍛錬具の内部構造を示す。
【００１５】
図１及び図５に示すように、身体鍛錬具１は、断面円形かつ前後方向に延びる異形球状に形成されたケーシング２と、ケーシング２内に設けられた振動源３と、ケーシング２の前後方向中間部の両側に設けられた凹部４と、ケーシング２の前後方向中間部の外周に設けられ、クッション機能を有すると共に滑り止め機能を有する被覆材５とを備えて構成されている。
【００１６】
ケーシング２は、硬質の樹脂からなり、中空のラグビーボール状に形成されている。また、ケーシング２は、全長約２７ｃｍ、高さ（最大）約１５．５ｃｍ、幅（最大）約１３ｃｍに形成されており、大きさも略ラグビーボールと同等に形成されている。図１及び図３に示すように、ケーシング２の前端部には、振動源３への通電をオンオフするための電源スイッチ６と、電源のオンオフを表示する動作表示ランプ７と、振動源３の振動の強弱を二段階に切り換える切換スイッチ８と、振動源３の振動の強弱を表示するモード表示ランプ９と、ストラップ１０とが設けられている。図４及び図５に示すように、ケーシング２の後端部には、ストラップ１０を取り付けるためのストラップ取付部１１と、ケーシング２を貫通して外方に延びる電源コード１２を屈曲可能に支持するためのブーツ１３とが設けられている。
【００１７】
また、ケーシング２は左右二つ割りに分離可能に形成されており、ケーシング２内には、電源コード１２から供給される電源の電圧を切換スイッチ８に応じて２段階に切り換えると共に、振動源３の連続運転時間が所定時間に達したとき電源を自動的に切断する制御装置１４が設けられている。また、制御装置１４には、ブザー（図示せず）が設けられており、電源を自動的に切断するときブザー音を発して使用者に自動切断した旨を知らせるようになっている。電源を入れてから自動切断するまでの所定時間は約５分に設定されている。
【００１８】
図５及び図６に示すように、振動源３は、箱形に形成されると共に左右二つ割りに分離可能に形成された内部ケーシング１５と、内部ケーシング１５内の前後方向の中央に設けられた電動モータ１６と、電動モータ１６の前後の内部ケーシング１５内に回転自在に設けられた一対の振動子１７と、これら振動子１７に電動モータ１６の動力を伝達する動力伝達機構１８とを備えて構成されている。内部ケーシング１５は、外周に取付フランジ１９を有し、取付フランジ１９をケーシング２にボルト締めされることでケーシング２に一体に固定されている。振動子１７は、内部ケーシング１５にベアリングからなる軸受２０を介して回転自在に支持された回転軸２１と、回転軸２１の両端部に同軸上に設けられた円盤状の支持部２２と、支持部２２間に偏心して設けられたウェイト２３とを備えて構成される。動力伝達機構１８は、電動モータ１６の駆動軸２４に設けられた駆動側プーリ２５と、振動子１７の回転軸２１に設けられた受動側プーリ２６と、これらプーリ２５、２６に掛け渡して設けられた無端ベルト２７とからなる。駆動側プーリ２５と受動側プーリ２６の外周面には、軸方向に延びる複数の溝２８が周方向に等間隔に設けられており、無端ベルト２７の内周面には、これらプーリ２５、２６の溝２８に噛み合う複数の突起（図示せず）が設けられている。溝２８と突起が噛み合うことでプーリ２５、２６と無端ベルト２７が滑るのを防止し、電動モータ１６の駆動力を確実に振動子１７に伝達できるようになっている。
【００１９】
図１及び図２に示すように、凹部４は、振動源３が振動したときケーシング２の振動を抑えるように人体の所定の部位で押さえるための部分であり、ケーシング２の両側に左右対称に設けられている。凹部４は、ケーシング２の長手方向に長い楕円形に形成されると共に、長手方向の両端から中心に向かうにつれて窪み深さが深くなる曲面状に形成されている。また、凹部４の短手方向の深さは、いずれの位置においても同じとなるように形成されており、例えば両脚の内股に凹部４をそれぞれ当接させるように股の間に身体鍛錬具１を挟んだとき、凹部４が内股にフィットするようになっている。具体的には、凹部４は、長手方向の寸法が１４ｃｍ、短手方向の寸法が９．５ｃｍ、中心部の深さ（凹部４の前後両端を結ぶ線からの深さ）が１．５ｃｍ程度に形成されている。
【００２０】
被覆材５は、ケーシング２の前後方向中間部の右半分を覆う右被覆材２９と、ケーシング２の前後方向中間部の左半分を覆う左被覆材３０とからなる。右被覆材２９と左被覆材３０は、それぞれ軟性の樹脂、具体的には、発泡ポリウレタンからなり、ケーシング２に接着されている。右被覆材２９と左被覆材３０の表面には、滑り止めの凹凸（図示せず）が形成されている。凹凸は浅いしわ状に形成されており、人体の皮膚に当接したとき滑り止めとして機能しつつ、皮膚を過度に摩擦しないようになっている。また、ケーシング２の上下両端には、右被覆材２９と左被覆材３０の継ぎ目を覆うと共にケーシング２に押し付ける継ぎ目処理部材３１が設けられており、右被覆材２９と左被覆材３０が継ぎ目から剥がれないようになっている。
【００２１】
次に本実施の形態の作用を述べる。
【００２２】
図２及び図７に示すように、身体鍛錬具１を用いて太ももの運動をする場合、まず、椅子３２に浅めに座り、両脚の太ももの間に身体鍛錬具１を挟むと共に、手首にストラップ１０を掛け回す。このとき、身体鍛錬具１の前部３３を上方に向け、凹部４を太ももの位置に合わせ、太ももに凹部４をフィットさせる。身体鍛錬具１のケーシング２は断面円形かつ前後方向に延びる異形球状に形成されているため、太もも間に容易に挟持できる。この後、背筋を伸ばしておへそを前に出すように意識すると共に、電源スイッチ６を押す。これにより振動源３が振動され、ケーシング２と被覆材５が一体に振動される。凹部４と太ももの間に隙間があると、身体鍛錬具１が大きく振動するので、身体鍛錬具１を押さえ込んで振動を止めるような意識で太ももに力を入れる。凹部４が太ももにフィットされると共に、被覆材５表面の凹凸が滑り止めとなって太ももに当接されるため、身体鍛錬具１が振動で落下しそうになることはない。このため、安定した状態でしっかりと身体鍛錬具１を太ももの筋肉を使って保持、エクササイズすることができ、効果的かつ容易にシェイプアップできる。身体鍛錬具１の電源スイッチ６を押してから５分が経過するとピッとブザー音が鳴り、身体鍛錬具１が自動的に停止する。また、５分が経過する前に運動を中断したい場合、電源スイッチ６を再度押すことで身体鍛錬具１を停止させることができる。また、太ももに力が入らなくなり、太ももから身体鍛錬具１が落下した場合であっても、身体鍛錬具１が床まで落下するのをストラップ１０で防止でき、使用者の怪我や身体鍛錬具１の破損等を未然に防ぐことができる。
【００２３】
図２及び図８に示すように、二の腕の運動をする場合、手首にストラップ１０を掛け回し、電源スイッチ６を押して身体鍛錬具１を起動させたのち、両手の手の平で両側の凹部４を押すように身体鍛錬具１を挟持する。このとき、肘を軽く曲げ、身体鍛錬具１を胸からやや離して保持すると共に、身体鍛錬具１を押さえ込んで振動を止めるような意識で二の腕に力を入れる。左右の凹部４間の間隔は約１０ｃｍであるため、両肘を体の前に出した状態で容易に身体鍛錬具１を保持でき、被覆材５表面の凹凸が滑り止めとなって手の平に当接されるため、身体鍛錬具１が振動で落下しそうになることはない。このため、太ももの運動をする場合と同様に安定した状態で保持、エクササイズが可能となり、効果的かつ容易にシェイプアップできる。
【００２４】
また、図９に示すように、頭上で肘を曲げて身体鍛錬具１を保持し、二の腕の運動をしてもよい。この場合、両手の親指を一方の凹部４に掛けると共に他の指を他方の凹部４に掛けるようにして身体鍛錬具１を把持し、身体鍛錬具１を押さえ込んで振動を止めるような意識で二の腕に力を入れる。凹部４間の間隔は約１０ｃｍであるため、比較的手が小さな人であっても容易に身体鍛錬具１を把持でき、被覆材５表面の凹凸が滑り止めとなって各指に当接されるため、身体鍛錬具１が振動で落下しそうになることはない。このため、太ももの運動をする場合と同様に安定した状態で保持、エクササイズが可能となり、効果的かつ容易にシェイプアップできる。
【００２５】
図２及び図１０に示すように、お腹の運動をする場合、椅子３２に座り、手首にストラップ１０を掛け回し、電源スイッチ６を押して身体鍛錬具１を起動させたのち、身体鍛錬具１の凹部４をお腹に当て、お腹の筋肉を固くする意識でお腹の筋肉を保持する。凹部４がお腹にフィットされると共に、被覆材５表面の凹凸が滑り止めとなってお腹に当接されるため、身体鍛錬具１が振動で落下しそうになることはない。このため、太ももの運動をする場合と同様に安定した状態で保持、エクササイズが可能となり、効果的かつ容易にシェイプアップできる。
【００２６】
図２及び図１１に示すように、腰の運動をする場合、環状のベルト３４を肩から掛け、ベルトにストラップ１０を連結した後、椅子３２に座り、腰と背もたれ３５との間に身体鍛錬具１を挟んで保持し、電源スイッチ６を押して身体鍛錬具１を起動させる。このとき、身体鍛錬具１を押さえ込んで振動を止めるような意識で腰に力を入れる。凹部４が腰にフィットされると共に、被覆材５表面の凹凸が滑り止めとなって腰に当接されるため、身体鍛錬具１が振動で落下しそうになることはない。このため、太ももの運動をする場合と同様に安定した状態で保持、エクササイズが可能となり、効果的かつ容易にシェイプアップできる。また、使用者が背後の身体鍛錬具１を忘れ、椅子から立つなどしてもストラップ１０で身体鍛錬具１の落下を防ぐことができる。
【００２７】
このように、断面円形かつ前後方向に延びる異形球状のケーシング２と、ケーシング２内に設けられた振動源３と、ケーシング２の前後方向中間部の両側に設けられ振動源３による振動を抑えるべく人体の所定の部位で押さえるための凹部４とを備えて身体鍛錬具１を構成したため、太もも、手の平、腹部又は腰部等の身体の一部に身体鍛錬具１を容易にフィットさせることができ、振動体を体の一部で挟持するように押さえ、振動を抑えるように力を入れるエクササイズを容易に行うことができる。
【００２８】
また、ケーシング２の前後方向中間部の外周に設けられ、クッション機能を有すると共に滑り止め機能を有する被覆材５を備えたため、身体鍛錬具１を身体の一部により良好にフィットでき、安定した状態でエクササイズができるのでフィットネス効果を更に高めることができる。
【００２９】
振動源３は電動モータ１６を有し、電動モータ１６に電気を供給する電源コード１２がケーシング２の後端部から外方に延びるものとしたため、電源コード１２が運動の邪魔になるのを防ぐことができ、電源コード１２の存在を意識することなく快適に運動することができる。
【００３０】
ケーシング２の前端部にケーシング２を吊り下げるためのストラップ１０を設けたため、使用時にストラップ１０を体の一部に掛け回しておくことで、身体鍛錬具１が床まで落下するのを防ぐことができ、使用者の怪我や身体鍛錬具１の破損等を未然に防ぐことができる。
【００３１】
なお、振動子１７は電動モータ１６の前後に一対配置されるものとしたが、振動子１７は１つであってもよく、３つ以上の複数であってもよい。また、電動モータ１６の前後に配置するものに限るものではなく、電動モータ１６の上下であってもよく、左右であってもよい。
【００３２】
また、動力伝達機構１８は、プーリ２５、２６と無端ベルト２７からなるものとしたが、これに限るものではない。例えば互いに噛合する歯車（図示せず）で構成してもよい。
【００３３】
電源コード１２はケーシング２の後端部から外方に延びるものとしたが、ケーシング２の前端部から外方に延びるものとしてもよい。
【００３４】
ストラップ１０は、ケーシング２の後端部に設けてもよい。
【００３５】
切換スイッチ８は振動源３の振動を二段階に切り換えるものとしたが、３段階以上の複数段に切り換えるものとしてもよい。また、切換スイッチ８は、振動の強さを無段階に調節する調節レバーに変更してもよく、他の調節手段に変更してもよい。
【図面の簡単な説明】
【００３６】
【図１】本考案の好適実施の形態を示す身体鍛錬具の斜視図である。
【図２】身体鍛錬具の平面図である。
【図３】身体鍛錬具の正面図である。
【図４】身体鍛錬具の背面図である。
【図５】身体鍛錬具の側断面図である。
【図６】振動源の側断面図である。
【図７】身体鍛錬具の使用方法の一例を示す説明図である。
【図８】身体鍛錬具の他の使用方法の一例を示す説明図である。
【図９】身体鍛錬具の他の使用方法の一例を示す説明図である。
【図１０】身体鍛錬具の他の使用方法の一例を示す説明図である。
【図１１】身体鍛錬具の他の使用方法の一例を示す説明図である。
【図１２】身体鍛錬具の他の使用方法の一例を示す説明図である。
【符号の説明】
【００３７】
１  身体鍛錬具
２  ケーシング
３  振動源
４  凹部
５  被覆材
１０  ストラップ
１２  電源コード
１６  電動モータ
【図１】
0003147513.tif 000003
【図２】
0003147513.tif 000004
【図３】
0003147513.tif 000005
【図４】
0003147513.tif 000006
【図５】
0003147513.tif 000007
【図６】
0003147513.tif 000008
【図７】
0003147513.tif 000009
【図８】
0003147513.tif 000010
【図９】
0003147513.tif 000011
【図１０】
0003147513.tif 000012
【図１１】
0003147513.tif 000013
【図１２】
0003147513.tif 000014